(57)【要約】【課題】  遊技場に設置できるコンパクトでメンテナンスの容易なタバコの吸殻を含むタバコ消火水の処理装置の提供。【解決手段】  処理槽１の上部に投入部２を設け、投入部２の下方に複数段の網状フィルタ部３を配置し、網状フィルタ部３の下方に複数段に活性炭層４を有する浄化部５を設ける。そして、処理槽内の消火水をゆっくりと流動させる循環手段６を設け、処理槽１の下端に排出部７を配置する。【選択図】        図１
2009233040.tif 000002
【特許請求の範囲】
【請求項１】
タバコの吸殻を含む消火水の処理装置において、
処理槽(1)と、その処理槽(1)の上部に設けた消火水の投入部(2)と、その投入部(2)の下方に設けた網状フィルタ部(3)と、その網状フィルタ部(3)の下方に設けた活性炭層(4)を有する浄化部(5)と、処理槽内の消火水をゆっくりと流動させる循環手段(6)と、処理槽(1)の下端に設けた排出部(7)とを具備し、
その浄化部(5)は、処理槽(1)内を上下に離間して複数段の棚部(8)が設けられ、各棚部(8) に前記活性炭層(4)が複数段に配置されたことを特徴とするタバコ吸殻消火水の処理装置。
【請求項２】
請求項１において、
前記網状フィルタ部(3)は、上下に離間して複数のフィルタ(3a)が配置されたことを特徴とするタバコ吸殻消火水の処理装置。
【請求項３】
請求項1または請求項２において、
前記処理槽(1)は、その水平方向の中間位置で重力方向に配置された仕切板(19)を介して、互いに独立した少なくとも二つの第１処理槽(1a)と第２処理槽(1b)とが一体に並列配置され、各処理槽(1a)(1b)に第１および第２の前記投入部(2)、網状フィルタ部(3)、浄化部(5)、循環手段(6)、排出部(7)、複数段の活性炭層(4)をそれぞれ有することを特徴とするタバコ吸殻消火水の処理装置。
【請求項４】
請求項１〜請求項３のいずれかにおいて、
前記処理槽(1)の高さより、低い高さの予備槽(9)を有し、その予備槽(9)の上部に消火水投入口(10)、その投入口(10)の下方に網状フィルタ(11)が設けられ、下部に揚水ポンプ(12)が配置され、その揚水ポンプ(12)の出口(12a)と前記処理槽(1)の前記投入部(2)とが搬送ホース(13)で連結されるように構成されたことを特徴とするタバコ吸殻消火水の処理装置。
【請求項５】
請求項１〜請求項４のいずれかにおいて、
前記処理槽(1)は、槽本体(14)と、その槽本体(14)の上端を開閉自在に閉塞する上端部材(15)とを有し、その上端部材(15)の開口(15a)に前記投入部(2)が設けられると共に、前記フィルタ部(11)が設けられたことを特徴とするタバコ吸殻消火水の処理装置。  
【請求項６】
請求項５において、
上端部材(15)の前記開口(15a)の内面に内フランジ部(17)が形成され、その内フランジ部(17)にフィルタ部(11)の外周縁が着脱自在に着座されることを特徴とするタバコ吸殻消火水の処理装置。
【請求項７】
請求項５または請求項６において、
前記上端部材(15)の前記開口(15a)に、上蓋(16)と、ホース付き上蓋(18)とが取り替え自在に被着され、そのホース付き上蓋(18)に前記予備槽(9) の搬送ホース(13)の出口端が連結されることを特徴とするタバコ吸殻消火水の処理装置。
【発明の詳細な説明】
【技術分野】
【０００１】
本発明はタバコの吸殻を含む消火水の処理装置に関し、特にパチンコ店等の遊技場で回収されるタバコの吸殻を含む消火水の処理装置に関する。
【背景技術】
【０００２】
多くのパチンコ店では、多数のパチンコ機やスロット機等の遊技具を島状の設置部に配列し、その設置部の前面下部に細長いカウンターを設け、カウンターに沿って吸殻処理装置が設けられる。その吸殻処理装置はカウンター上の遊技具ごとに設けた灰皿と各灰皿に連通する細長い吸殻搬送部を備えている。タバコの吸殻は、すのこ状の灰皿の底から落下孔を通過して吸殻搬送部に落下し、水平方向（横方向）に搬送されて、各島ごとの吸殻回収部に回収される。この様な吸殻処理装置は、例えば特許文献１に記載されている。
そして、搬送された吸殻は、その下流端の吸殻収納箱に落下する。その箱には火の付いた吸殻を消火するため所定レベルまで水が収容されている。箱の水中には吸殻が浮遊状態で存在するとともに、吸殻に残留するタバコから溶出したニコチン、ヤニ、タール等が存在する。吸殻回収部に吸殻が許容量まで蓄積されると、その箱体を新しいものと交換するが、古い箱体の内容物は一般排水として公共の排水路にそのまま放出することができない。環境を著しく汚染するからである。
【０００３】
たとえば、パチンコ店から排出されるタバコの吸殻を含む消火水中には吸殻由来の固形状の浮遊物質が多く存在する上に、測定結果によると化学的酸素要求量（ＣＯＤ）の数値は１Ｌ中に３６００ｍｇ程度、生物化学的酸素要求量（ＢＯＤ）の数値は１Ｌ中に５１００ｍｇ程度まで達する。
吸殻を含む消火水は、環境基準をクリアするレベルまで処理装置で浄化してから公共の排水路へ放出する必要がある。排水の処理装置として、例えば半導体工場から排出される固形分等有害物質を含む排水を処理する装置が特許文献２に記載されている。
特許文献２の処理装置は、研磨剤等の固形分を除去するセラミックフィルター層と有害物質を除去する活性炭層を連結して構成される。
【０００４】
【特許文献１】特開平８−１０４３７号公報
【特許文献２】特開２００１−１２１１４４号公報
【発明の開示】
【発明が解決しようとする課題】
【０００５】
しかし、一般に工場排水処理用として普及している排水処理装置は、複数の層やポンプを配管で接続して構成されているので装置が大型となり、大きな設置面積を必要とする上に、設置コストも高くなる。また運転やメンテナンスには専門知識を必要とする。そのため、それをパチンコ店等の遊技場用に設置することは難しい。
また、大型の遊技店においては１日に処理すべき消火水の原液総量が４０Ｌ以上であり、これは容量２Ｌ、重さ３Ｋｇ以上の回収箱を多数回取り替えることになる。そして、この回収箱中のタバコの吸殻と原液（消火水）を分離後、ろ過装置に原液を入れ込む作業は、多大の労力を要し、その作業に伴い腰や膝に多くの負担が加わる。原液濾過の処理装置の投入口の高さが高いと特に負担が強まる。
【０００６】
また、処理装置のろ過材として活性炭を用いる場合、消火水中のＣＯＤおよびＢＯＤを基準値まで低減するためには１５時間以上のろ過時間を要する。
大型店舗や遊技客が多い店舗では、タバコの吸殻回収を１日２回（吸殻回収箱が１０箇所以上各所に分散している）行う場合、各回のろ過時間を１５時間以上必要とするので、ろ過用の処理装置を２台必要とし、より広い設置場所が必要となる。
【０００７】
本発明者の実験によれば、ろ過性能を向上させるには可能な限り不溶性物質（汚濁浮遊物質）を取除く必要がある。この不溶性物質が原液中に残存すると、ろ過材表面にそれが付着してろ過材の処理面積を小さくするとともに、ろ過性能と耐久性を著しく劣化させる。ろ過材は通常まとめて大きな袋に入れ処理装置内に配置する。そのろ過材と原液が十分接触するには、ある程度の隙間とその隙間を原液がゆっくりと流動しなければならないことが明らかになった。
【０００８】
原液のろ過はろ過材のもつ表面エネルギーによって、原液中の有機物を吸着するものであり、その吸着力を保持するためには、原液の流動は極めてゆっくり行う必要がある。また、その流動が全く存在しないと、原液とろ過剤との接触が少なくなり、より多くのろ過時間を要することが明らかとなった。
そこで本発明はこれらの知見に基づき、各種問題点を解決するタバコ吸殻消火水の処理装置を提供することを目的とする。
【課題を解決するための手段】
【０００９】
請求項１に記載の本発明は、タバコの吸殻を含む消火水の処理装置において、
処理槽(1)と、その処理槽(1)の上部に設けた消火水の投入部(2)と、その投入部(2)の下方に設けた網状フィルタ部(3)と、その網状フィルタ部(3)の下方に設けた活性炭層(4)を有する浄化部(5)と、処理槽内の消火水をゆっくりと流動させる循環手段(6)と、処理槽(1)の下端に設けた排出部(7)とを具備し、
その浄化部(5)は、処理槽(1)内を上下に離間して複数段の棚部(8) が設けられ、各棚部(8) に前記活性炭層(4)が複数段に配置されたことを特徴とするタバコ吸殻消火水の処理装置である。
【００１０】
請求項２に記載の本発明は、請求項１において、
前記網状フィルタ部(3)は、上下に離間して複数のフィルタ(3a)が配置されたことを特徴とするタバコ吸殻消火水の処理装置である。
【００１１】
請求項３に記載の本発明は、請求項1または請求項２において、
前記処理槽(1)は、その水平方向の中間位置で重力方向に配置された仕切板(19)を介して、互いに独立した少なくとも二つの第１処理槽(1a)と第２処理槽(1b)とが一体に並列配置され、各処理槽(1a)(1b)に第１および第２の前記投入部(2)、網状フィルタ部(3)、浄化部(5)、循環手段(6)、排出部(7)、複数段の活性炭層(4)をそれぞれ有することを特徴とするタバコ吸殻消火水の処理装置である。
【００１２】
請求項４に記載の本発明は、請求項１〜請求項３のいずれかにおいて、
前記処理槽(1)の高さより、低い高さの予備槽(9)を有し、その予備槽(9)の上部に消火水投入口(10)、その投入口(10)の下方に網状フィルタ(11)が設けられ、下部に揚水ポンプ(12)が配置され、その揚水ポンプ(12)の出口(12a)と前記処理槽(1) の前記投入部(2)とが搬送ホース(13)で連結されるように構成されたことを特徴とするタバコ吸殻消火水の処理装置である。
【００１３】
請求項５に記載の本発明は、請求項１〜請求項４のいずれかにおいて、
前記処理槽(1)は、槽本体(14)と、その槽本体(14)の上端を開閉自在に閉塞する上端部材(15)とを有し、その上端部材(15)の開口(15a)に前記投入部(2)が設けられると共に、前記フィルタ部(11)が設けられたことを特徴とするタバコ吸殻消火水の処理装置である。
【００１４】
請求項６に記載の本発明は、請求項５において、
上端部材(15)の前記開口(15a)の内面に内フランジ部(17)が形成され、その内フランジ部(17)にフィルタ部(11)の外周縁が着脱自在に着座されることを特徴とするタバコ吸殻消火水の処理装置である。
【００１５】
請求項７に記載の本発明は、請求項５または請求項６において、
前記上端部材(15)の前記開口(15a)に、上蓋(16)と、ホース付き上蓋(18)とが取り替え自在に被着され、そのホース付き上蓋(18)に前記予備槽(9) の搬送ホース(13)の出口端が連結されることを特徴とするタバコ吸殻消火水の処理装置である。
【発明の効果】
【００１６】
本発明のタバコ吸殻消火水の処理装置は請求項１に記載のように、網状フィルタ部と活性炭層を有する浄化部と循環手段とを設け、浄化部は上下に離間して複数段の棚部に活性炭層がそれぞれ複数段配置されているので、処理装置がコンパクトになり、全体構造も簡単になる。そのため設置コストや運転コストが低減され、保守も容易になり、パチンコ店等の遊技場内にも好適に設置できる。
そして、網状フィルタ部で吸殻を除去してから活性炭層に消火水を流入させるので、活性炭層への固形分付着による浄化能力の低下を防止できる。さらに処理槽内の消火水をゆっくりと流動させる循環手段を設けているので、浄化部の活性炭と消火水の接触対流が多くなって、消火水中のＣＯＤおよびＢＯＤの低減作用が促進される。特に、活性炭層が上下方向に複数段配置されているため、その浄化能力が向上する。
【００１７】
上記装置において請求項２に記載のように、網状フィルタ部を上下に離間して複数のフィルタが配置されたものとすることができる。このように構成すると、消火水中の不要な不溶性物質（汚濁浮遊物質）を複数のフィルタで確実に取除き、不溶性物質が活性炭に付着することを防止し、その付着によるろ過面積の縮小を防止し、ろ過性能を向上することができる。
上記処理装置において請求項３に記載のように、処理槽１の内部を、仕切板を介して少なくとも第１処理槽と第２処理槽に分離し、各処理槽に第１および第２の投入部、網状フィルタ部、浄化部、循環手段、排出部を設けた場合には、時間的にずれて供給されるタバコ吸殻消火水の処理を異なった処理槽で行うことができる。それにより、各槽ごとに処理開始時間および終了時間を設定することができ、コンパクトでパチンコ店等の遊技場等から生じるタバコ吸殻消火水を効率よく処理することができると共に、低コストで設置面積を小さくできる。
【００１８】
上記処理装置において請求項４に記載のように、処理槽の高さより低い高さの予備槽を設け、その予備槽に網状フィルタおよび揚水ポンプを配置し、その揚水ポンプの出口と処理槽の投入部とを搬送ホースで連結した場合には、低い高さの予備槽にタバコ吸殻消火水を投入すれば足り、より高さの高い処理槽の投入口に消火水を投入する場合に比べ、作業者の労力を軽減するとともに、作業の効率化を実現できる。
上記処理装置において請求項５に記載のように、処理槽を槽本体とその上端を開閉自在に閉塞する上端部材とで構成し、その上端部材の開口に投入部およびフィルタ部を設けた場合には、その上端部材を解放することにより、槽本体の内部の点検や活性炭層の取替えが極めて容易となる。
【００１９】
上記処理装置において請求項６に記載のように、上端部材の開口の内面に内フランジ部を設け、その内フランジ部にフィルタ部の外周縁を着脱自在に着座させた場合には、そのフィルタの交換が容易となる。
上記処理装置において請求項７に記載のように、上端部材の開口に上蓋とホース付上蓋とを取替え自在に被着できるように構成し、そのホース付上蓋に予備槽の搬送ホースの出口端を連結した場合には、上端部材の開口の閉塞を行うとともに、予備槽から処理槽への消火水の供給が容易となり、作業者の負担を減らし、腰や手の痛みの発生を予防できる。
【発明を実施するための最良の形態】
【００２０】
次に、図面に基づいて本発明の実施の形態につき説明する。
図１は本発明のタバコ吸殻消火水の処理装置の縦断面正面図であり、図２はその側面略図である。
この処理装置３２は、その処理槽１の内部中央に重力方向に仕切板１９が配置され、仕切板１９の左右に一対の第１処理槽１ａ、第２処理槽１ｂが一体に形成され、槽本体１４を構成する。そして槽本体１４の上端にはフレームからなる上端部材１５が蝶番２４およびストッパー用のシリンダ２５を介して開閉自在に被嵌されている。そして、上端部材１５と槽本体１４との境にはシール材３０が環状に設けられている。
【００２１】
各第１処理槽１ａおよび第２処理槽１ｂ内は上下方向に互いに離間し、複数の（この例では４枚）棚板２１がブラケット２３を介して多段に配置されている。棚板２１には多数の孔２２が穿設され、その孔２２を介して消火水３３が上下方向に流通するように形成されている。各棚板２１上には活性炭層４が載置される。この活性炭層４は一例として網袋に収納された粒状または繊維状の活性炭からなる。
そして、第１処理槽１ａ、第２処理槽１ｂ内には消火水３３の循環手段６として空気配管６ａがそれぞれ配置され、それが処理槽１の底部に達し、その先端が閉塞されるとともにその先端部に複数の小孔６ｂが穿設されている。そして、空気配管６ａの上流端は図２に示す空気ポンプ３１に連結され、小孔６ｂから小さな気泡が流出する。第１処理槽１ａ、第２処理槽１ｂの底部は下方に向かって縮小する角錐台形状に形成され、その底に配管７ａが連通する。そして配管７ａの途中に排出弁２７が開閉自在に設けられ、排出部７を構成する。なお、処理槽１の底部には脚部３４を介してキャスタ２８が回動自在に取付けられている。
【００２２】
次に上端部材１５は、処理槽１の外周に整合する方形枠状に形成されるとともに、その中央を仕切枠部３５が横断する。そして、仕切枠部３５の両側に第１の投入部２と第２の投入部２とが配置されている。各投入部２は下方に縮小するテーパ状の壁面を有し、その下端より中間に内フランジ部１７が設けられている。そして、この内フランジ部１７に網状フィルタ部３の枠部３ｂが着座する。網状フィルタ部３には、複数段にメッシュの細かいフィルタ３ａが上下に離間して配置されている。なお、各段のフィルタ３ａのメッシュは同一であっても、あるいは上段ほど粗いものであってもよい。
【００２３】
網状フィルタ部３の枠部３ｂには着脱用の取手２０が一対上方に突設されている。そして、上端部材１５の各投入部２の上端には上蓋１６またはホース付き上蓋１８が着脱自在に取付けられる。そして上蓋１６およびホース付き上蓋１８には、それぞれ開閉用の取手２０が上方に突設されている。さらに、図２に示すごとく上端部材１５の一端には蝶番２４およびシリンダ２５が取付けられるとともに、他端にはロック３６が取付けられている。
【００２４】
次に、この例では図２に示す、予備槽９が処理槽１とは別個に設けられている。この予備槽９の高さは処理槽１の高さよりも十分低い（例えば、その高さは処理槽１の２分の１程度）。そして、予備槽９の上端部に投入口１０が設けられ、そこに網状フィルタ１１が着脱自在に被着される。予備槽９内の底部には揚水ポンプ１２が配置され、その出口１２ａに搬送ホース１３の一端が接続され、搬送ホース１３の他端がホース付き上蓋１８の中央に取付けられ、それが図１に示す如く、第１処理槽１ａ内に連通する。
予備槽９は横断面方形に形成され、その一側に樋部３７が突設されるとともに、その下端が開口３７ａを介して予備槽９内に連通する。そして、搬送ホース１３はこの開口３７ａ、樋部３７により予備槽９外に導かれる。
【００２５】
なお、この例は特に大型店の遊技場や客数の多い店で使用されるため、処理槽１が第１処理槽１ａと第２処理槽１ｂとを有する。これに替えて、第１処理槽１ａのみとすることもできる。また予備槽９は必須のものではなく、好ましくはそれを設けることができる。
また、この例では予備槽９と処理槽１とは分離しているが、それらを一体化し、予備槽９の投入口１０の高さを低い位置に配置することができる。さらには、第１処理槽１ａ、第２処理槽１ｂの他に第３処理槽、第４処理槽を設けることも可能である。
【００２６】
（作用）
先ず、図１および図２のごとく、処理装置３２を配置する。そして、多数のパチンコ機やスロット機等の遊技具が島状の設置部に配列された各島の端部ごとに配置された吸殻回収部から第１回目の吸殻の回収を行う。このとき吸殻が収納された箱体と新しい箱体とが交換される。箱体には水が２Ｌ程存在する。そして、容器を含めたその重さは３キロ程度である。
各島部から回収された箱体は、図２の予備槽９に運ばれる。そして、タバコの吸殻を含む消火水が予備槽９の投入口１０から投入され網状フィルタ１１を通過する。このとき吸殻２９は網状フィルタ１１上に分離される。予備槽９内には多数の吸殻回収部からの消火水が順次投入される。次いで揚水ポンプ１２が起動され、その内部の消火水３３を搬送ホース１３を介しホース付き上蓋１８から複数段のフィルタ３ａを介し、第１処理槽１ａ内のみに投入する。
【００２７】
この第１処理槽１ａは第１回目の消火水の浄化に用いる。そして、循環手段６の空気ポンプ３１を駆動し、空気配管６ａ下端の小孔６ｂから比較的きめ細かい気泡を消火水３３内に静かに流出させる。気泡はその浮力により上昇し、各段の活性炭層４外周およびその隙間から上方に移動する。このとき極めて弱い水流が各段に生じ、消火水３３は各段で均一にゆっくりと攪拌される。そして、活性炭層４に消火水３３中のニコチンやヤニ、タール等が少しづつ吸着される。なお、小孔６ｂからの気泡の流出量は、消火水３３の内部に生じる循環流の流速が、活性炭層４による吸着力を阻害しない程度である。この例では気体を利用して水流を発生させたが、それに変えて液体ポンプにより僅かな水流を発生させてもよい。消火水３３はこの状態で１５時間程度第１処理槽１ａ内に留まる。
【００２８】
次に第２回目の吸殻回収が行われると、第１処理槽１ａのホース付き上蓋１８と第２処理槽１ｂの上蓋１６とが交換され、タバコの吸殻を含む第２回目の消火水が第２処理槽１ｂに供給される。
そして、時間的に早い第１処理槽１ａ内の消火水３３の処理が終了するとき、そのＣＯＤ、ＢＯＤが規定値以下になる。そこで、排出弁２７を解放し排出部７から消火水を外部に放出する。時間を遅れて、同様に第２処理槽１ｂ内の消火水３３が処理され、それが外部に放出される。
【図面の簡単な説明】
【００２９】
【図１】本発明の処理装置３２の縦断面図正面図。
【図２】同一部縦断面図側面図。
【符号の説明】
【００３０】
１  処理槽
1a  第１処理槽
1b  第２処理槽
２  投入部
３  網状フィルタ部
3a  フィルタ
3b  枠部
４  活性炭層
５  浄化部
６  循環手段
6a  空気配管
6b  小孔
【００３１】
７  排出部
7a  配管
８  棚部
９  予備槽
10  投入口
11  網状フィルタ
12  揚水ポンプ
12a  出口
13  搬送ホース
14  槽本体
15  上端部材
15a  開口
【００３２】
16  上蓋
17  内フランジ部
18  ホース付き上蓋
19  仕切板
20  取手
21  棚板
22  孔
23  ブラケット
24  蝶番
25  シリンダ
26  入口パイプ
【００３３】
27  排出弁
28  キャスタ
29  吸殻
30  シール材
31  空気ポンプ
32  処理装置
33  消火水
34  脚部
35  仕切枠部
36  ロック
37  樋部
37a  開口
【図１】
2009233040.tif 000003
【図２】
2009233040.tif 000004